(57)【要約】      （修正有）【課題】通信速度の低下を招くことなく、通信時に生じた信号損失分を補償することが可能な音声信号通信システムを提供する。【解決手段】送信部１０は、入力音声信号の所定周波数より低い低周波数帯域の信号成分を主音声信号として抽出し、主音声信号に基づいて生成した補助音声信号と、上記した主音声信号とを互いに所定期間だけずらして多重化した多重化音声信号を送信する。受信部２０は、受信した多重化音声信号から主音声信号及び補助音声信号を分離抽出し、通信エラーが生じていない場合には分離抽出された主音声信号を出力する一方、通信エラーが生じている場合には分離抽出された補助音声信号を出力する。【選択図】図１
2017044935.tif 000002
【特許請求の範囲】
【請求項１】
送信部と受信部とを有する音声信号通信システムであって、
前記送信部は、
入力音声信号から所定周波数より低い低周波数帯域の信号成分を主音声信号として抽出する低域抽出部と、
前記主音声信号に基づいて生成した補助音声信号と、前記主音声信号とを互いに所定期間だけずらして多重化した多重化音声信号を生成する多重化部と、を含み、
前記受信部は、
前記送信部から前記多重化音声信号を受信し、受信した前記多重化音声信号に基づき通信エラーが生じているか否かを検出して検出結果を示す通信エラー検出信号を生成する通信エラー検出部と、
受信した前記多重化音声信号から前記主音声信号及び前記補助音声信号を分離抽出する分離部と、
前記通信エラー検出信号が通信エラーが生じていないことを示す場合には前記分離部で分離抽出された前記主音声信号を出力音声信号として出力する一方、前記通信エラー検出信号が通信エラーが生じていることを示す場合には前記分離部で分離抽出された前記補助音声信号を前記出力音声信号として出力する出力部と、を含むことを特徴とする音声信号通信システム。
【請求項２】
前記多重化部は、
前記主音声信号の信号成分を前記所定周波数以上の周波数帯域に高周波数化した信号を高域補助音声信号として生成する高周波数化部と、
前記主音声信号を前記所定期間だけ遅延させた信号と前記高域補助音声信号とを加算して前記多重化音声信号を生成する加算器と、を含み、
前記分離部は、
受信した前記多重化音声信号から前記所定周波数より低い周波数帯域の信号成分を前記主音声信号として抽出する第１のローパスフィルタと、
受信した前記多重化音声信号から前記所定周波数以上の周波数帯域の信号成分を前記高域補助音声信号として抽出する第１のハイパスフィルタと、
前記第１のハイパスフィルタによって抽出された前記高域補助音声信号を低周波数化することにより前記補助音声信号を得る低周波数化部と、を含み、
前記出力部は、
前記低周波数化部にて得られた前記補助音声信号を前記所定期間だけ遅延させた信号を遅延補助音声信号として生成する遅延部と、
前記通信エラー検出信号が通信エラーが生じていないことを示す場合には、前記遅延補助音声信号及び前記第１のローパスフィルタで抽出された前記主音声信号のうちから前記主音声信号を選択して前記出力音声信号として出力する一方、前記通信エラー検出信号が通信エラーが生じていることを示す場合には、前記遅延補助音声信号及び前記第１のローパスフィルタで抽出された前記主音声信号のうちから前記遅延補助音声信号を選択して前記出力音声信号として出力するセレクタと、を含むことを特徴とする請求項１に記載の音声信号通信システム。
【請求項３】
前記入力音声信号は音声サンプルの系列からなるＰＣＭ信号であり、
前記高周波数化部は、
前記主音声信号における音声サンプルの系列中から音声サンプルを間引いた第１の間引音声信号を生成する第１の間引き回路と、
”＋１”の値の状態と”−１”の値の状態とをとる所定の第１のＭ系列信号を前記第１の間引音声信号に乗算して第１の拡散音声信号を生成する第１の乗算部と、
前記第１の拡散音声信号を補間した第１の補間拡散音声信号を生成する第１の補間回路と、
前記第１の補間拡散音声信号から前記所定周波数以上の周波数帯域の信号成分を抽出し、抽出した前記信号成分を前記高域補助音声信号として得る第２のハイパスフィルタと、を含み、
前記低周波数化部は、
前記高域補助音声信号における音声サンプルの系列中から音声サンプルを間引いた第２の間引音声信号を生成する第２の間引き回路と、
前記所定の第１のＭ系列信号と同一値の第２のＭ系列信号を前記第２の間引音声信号に乗算して低周波数化音声信号を生成する第２の乗算部と、
前記低周波数化音声信号を補間した補間低周波数化音声信号を生成する第２の補間回路と、
前記補間低周波数化音声信号から前記所定周波数より低い周波数帯域の信号成分を抽出し、抽出した前記信号成分を前記補助音声信号として得る第２のローパスフィルタと、を含むことを特徴とする請求項２記載の音声信号通信システム。
【請求項４】
前記多重化部は、
前記主音声信号を圧縮符号化した信号を符号化補助音声信号として生成する符号部と、
前記符号化補助音声信号を前記所定期間だけ遅らせた信号を符号化主音声信号として生成するバッファと、を含み、前記符号化主音声信号を前記所定周波数より低い低周波数帯域に割り当て、且つ前記符号化補助音声信号を前記所定周波数以上の高周波数帯域に割り当てて多重化した信号を前記多重化音声信号として生成し、
前記分離部は、
前記多重化音声信号から前記符号化主音声信号及び前記符号化補助音声信号を分離抽出する分離回路と、
前記符号化主音声信号に復号処理を施した信号を前記主音声信号として得る第１の復号部と、
前記符号化補助音声信号に復号処理を施した信号を前記補助音声信号として得る第２の復号部と、を含み、
前記出力部は、
前記第２の復号部で得られた前記補助音声信号を前記所定期間だけ遅延させた信号を遅延補助音声信号として生成する遅延部と、
前記通信エラー検出信号が通信エラーが生じていないことを示す場合には、前記遅延補助音声信号及び前記第１の復号部で得られた前記主音声信号のうちから前記主音声信号を選択して前記出力音声信号として出力する一方、前記通信エラー検出信号が通信エラーが生じていることを示す場合には、前記遅延補助音声信号及び前記第１の復号部で得られた前記主音声信号のうちから前記遅延補助音声信号を選択して前記出力音声信号として出力するセレクタと、を含むことを特徴とする請求項１記載の音声信号通信システム。
【請求項５】
前記出力部は、
前記出力音声信号の周波数帯域を前記所定周波数よりも高い帯域に拡張する帯域拡張部を含むことを特徴とする請求項４記載の音声信号通信システム。
【請求項６】
前記所定期間は、ｎ（ｎは１以上の整数）個のＩＰパケット分の期間長であることを特徴とする請求項１〜５のいずれか１に記載の音声信号通信システム。
【請求項７】
対向装置と通信を行う送信装置であって、
入力音声信号から所定周波数より低い低周波数帯域の信号成分を主音声信号として抽出する低域抽出部と、
前記主音声信号に基づいて生成した補助音声信号と、前記主音声信号とを互いに所定期間だけずらして多重化した多重化音声信号を生成する多重化部と、
前記多重化音声信号を前記対向装置へ送信する送信部と、
を備え、
前記多重化部は、前記対向装置により前記多重化音声信号を前記主音声信号と前記補助音声信号とに分離可能となるように多重化することを特徴とする送信装置。
【請求項８】
対向装置と通信を行う受信装置であって、
前記対向装置から受信した信号に基づき通信エラーが生じているか否かを検出して検出結果を示す通信エラー検出信号を生成する通信エラー検出部と、
受信した信号から主音声信号及び補助音声信号を分離抽出する分離部と、
前記通信エラー検出信号が通信エラーが生じていないことを示す場合には前記分離部で分離抽出された前記主音声信号を出力音声信号として出力する一方、前記通信エラー検出信号が通信エラーが生じていることを示す場合には前記分離部で分離抽出された前記補助音声信号を前記出力音声信号として出力する出力部と、を備えることを特徴とする受信装置。
【発明の詳細な説明】
【技術分野】
【０００１】
本発明は、音声信号を送信及び受信する音声信号通信システムに関する。
【背景技術】
【０００２】
ＶｏＩＰ（Ｖｏｉｃｅ  ｏｖｅｒ  Ｉｎｔｅｒｎｅｔ  Ｐｒｏｔｏｃｏｌ）による音声信号の伝送ではパケットロスが発生する可能性が考えられる。そこで、パケットロスに伴う音声品質の劣化を防ぐために、ＩＴＵ−Ｔ（Ｉｎｔｅｒｎａｔｉｏｎａｌ  Ｔｅｌｅｃｏｍｍｕｎｉｃａｔｉｏｎ  Ｕｎｉｏｎ  Ｔｅｌｅｃｏｍｍｕｎｉｃａｔｉｏｎ  Ｓｔａｎｄａｒｄｉｚａｔｉｏｎ  Ｓｅｃｔｏｒ）では、 欠落したパケットを補間処理によって求め、音声信号の欠落区間を補償することを勧告している。
【０００３】
また、欠落したパケットの補間方法として、音声信号の特徴量を算出し、その特徴量に応じて擬似音声と疑似雑音を生成し、両者を組み合わせることで補間信号を得るようにした情報処理装置が提案されている（例えば、特許文献１参照）。
【先行技術文献】
【特許文献】
【０００４】
【特許文献１】特開２００９−６３９２８号公報
【発明の概要】
【発明が解決しようとする課題】
【０００５】
しかしながら、例えばＦＡＸ（ファクシミリ）モデム信号を音声信号として扱って通信を行う、みなし音声方式を採用して通信を行う場合、パケットの欠落時に上記したような補間処理を施しても、元の情報データを復元することはできないので、通信エラーが発生する。
【０００６】
そこで、音声信号としてのＦＡＸモデム信号を誤り訂正符号化して送信することも考えられるが、符号化に伴い冗長データが付加されることになるので、データ量の増加を招き通信速度が低下するという問題が生じる。
【０００７】
本発明は、通信速度の低下を招くことなく、通信時に生じた信号欠落分を補償することが可能な音声信号通信システムを提供することを目的とする。
【課題を解決するための手段】
【０００８】
本発明に係る音声信号通信システムは、送信部と受信部とを有する音声信号通信システムであって、前記送信部は、入力音声信号から所定周波数より低い低周波数帯域の信号成分を主音声信号として抽出する低域抽出部と、前記主音声信号に基づいて生成した補助音声信号と、前記主音声信号とを互いに所定期間だけずらして多重化した多重化音声信号を生成する多重化部と、を含み、前記受信部は、前記送信部から前記多重化音声信号を受信し、受信した前記多重化音声信号に基づき通信エラーが生じているか否かを検出して検出結果を示す通信エラー検出信号を生成する通信エラー検出部と、受信した前記多重化音声信号から前記主音声信号及び前記補助音声信号を分離抽出する分離部と、前記通信エラー検出信号が通信エラーが生じていないことを示す場合には前記分離部で分離抽出された前記主音声信号を出力音声信号として出力する一方、前記通信エラー検出信号が通信エラーが生じていることを示す場合には前記分離部で分離抽出された前記補助音声信号を前記出力音声信号として出力する出力部と、を含む。
【発明の効果】
【０００９】
本発明における送信部は、入力音声信号の所定周波数より低い低周波数帯域の信号成分を主音声信号として抽出し、主音声信号に基づいて生成した補助音声信号と、上記した主音声信号とを互いに所定期間だけずらして多重化した多重化音声信号を送信する。受信部は、受信した多重化音声信号から主音声信号及び補助音声信号を分離抽出し、通信エラーが生じていない場合には、分離抽出された主音声信号を出力する一方、通信エラーが生じている場合には、分離抽出された補助音声信号を出力する。
【００１０】
かかる構成によれば、通信エラーに伴い音声信号に欠落区間が生じても、その欠落区間が補助音声信号によって補償される。よって、音声信号を誤り訂正符号化して送信する場合に比して通信速度を低下させることなく、通信時に生じた信号欠落分を補償することが可能となる。
【図面の簡単な説明】
【００１１】
【図１】本発明に係る音声信号通信システムとしての第１の実施例による音声信号通信システム１００の構成を示すブロック図である。
【図２Ａ】送信部１０の内部動作の一例を示す波形図である。
【図２Ｂ】送信部１０の内部動作の一例を示す波形図である。
【図３】受信部２０の内部動作の一例を示す波形図である。
【図４】音声信号通信システム１００における送信動作及び受信動作の一例を示すタイムチャートである。
【図５】遅延主音声信号ＳＬＤと高域補助音声信号ＳＨとの多重化形態を示す図である。
【図６】ＦＡＸ通信装置２００の構成を示すブロック図である。
【図７】本発明に係る音声信号通信システムとしての第２の実施例による音声信号通信処理部１２０の構成を示すブロック図である。
【図８】符号化主音声信号と符号化補助音声信号との多重化形態の一例を示す図である。
【図９】音声信号通信処理部１２０における送信動作及び受信動作の一例を示すタイムチャートである。
【発明を実施するための形態】
【００１２】
以下に、本発明に係る音声信号通信システムについて以下の実施例１及び２を参照して詳細に説明する。
【実施例１】
【００１３】
図１は、本発明に係る音声信号通信システムとしての第１の実施例による音声信号通信システム１００の構成を示すブロック図である。図１に示すように、音声信号通信システム１００は、送信部１０及び受信部２０を含む。
【００１４】
送信部１０のローパスフィルタ（以下、ＬＰＦと称する）１１は、入力音声信号ＳINから所定の境界周波数ｆｂよりも低い周波数帯域の信号成分を抽出し、抽出した信号成分を表す主音声信号ＳＬを遅延回路１２及び間引き回路１３に供給する。尚、入力音声信号ＳINは、例えばマイクロフォン等によって生成されたアナログの音声信号を、音声サンプルの系列からなるＰＣＭ（Ｐｌｕｓｅ  Ｃｏｄｅ  Ｍｏｄｕｌａｔｉｏｎ）信号化した信号である。また、境界周波数ｆｂとは、入力音声信号ＳINの全周波数帯域を低域と高域とに２分した際に境界となる周波数であり、例えば４ＫＨｚである。
【００１５】
遅延回路１２は、主音声信号ＳＬを所定の単位期間だけ遅延させた信号を遅延主音声信号ＳＬＤとして加算器１８に供給する。
【００１６】
間引き回路１３は、主音声信号ＳＬによって表される音声サンプルの系列中から例えば１サンプルおきにその音声サンプルを間引く。そして、間引き回路１３は、この間引き処理によって得られた間引音声信号ＳＤを乗算器１４に供給する。例えば、間引き回路１３は、主音声信号ＳＬによって表される例えば図２Ａに示す音声サンプルＱ１〜Ｑ９の系列中から、偶数番目に配置されている音声サンプルのみを間引き、音声サンプルＱ１、Ｑ３、Ｑ５、Ｑ７、Ｑ９の系列からなる間引音声信号ＳＤを得る。
【００１７】
Ｍ系列生成回路１５は、間引音声信号ＳＤによって表される音声サンプルの周期毎に、第１の値の状態と第２の値の状態の系列が所定の法則に従って得られる２値のＭ系列信号Ｍ１を生成し、これを乗算器１４に供給する。Ｍ系列信号は、例えば図２Ｂに例示するように、"＋１"の値の状態と"−１"の値の状態をとる系列である。Ｍ系列信号の一例として公知のスペクトラム拡散にて用いられるＭ系列信号が挙げられる。
【００１８】
なお、以下の説明においては、説明を簡略化するため、Ｍ系列生成回路１５は、図２Ａに示すような"＋１"の値の状態と"−１"の値の状態とを交互に繰り返すＭ系列信号Ｍ１を生成し、これを乗算器１４に供給するものとする。
【００１９】
乗算器１４は、間引音声信号ＳＤにＭ系列信号Ｍ１を乗算することにより、当該間引音声信号ＳＤを拡散してホワイトノイズ化した、例えば図２Ａに示す拡散音声信号ＳＭを生成して補間回路１６に供給する。
【００２０】
補間回路１６は、拡散音声信号ＳＭに対して補間処理を施すことにより、上記した間引き回路１３によって間引きされた分のサンプルを補間する。この際、補間回路１６による補間処理では、例えば図２Ａに示すように、拡散音声信号ＳＭにて表されるサンプルの系列中において互いに前後に隣接するサンプルのうちの一方をそのまま用いて、当該隣接するもの同士の間に存在するサンプルを補間する。尚、補間回路１６による補間処理としては、上記したものに限定されず、線形補間、曲線補間、或いは内挿補間等を採用しても良い。
【００２１】
補間回路１６は、拡散音声信号ＳＭに上記した補間処理を施して得た補間拡散音声信号ＳＵをハイパスフィルタ（以下、ＨＰＦと称する）１７に供給する。
【００２２】
ＨＰＦ１７は、補間拡散音声信号ＳＵから、上記した境界周波数ｆｂ以上の周波数帯域の信号成分を抽出し、抽出した信号成分を表す高域補助音声信号ＳＨを加算器１８に供給する。
【００２３】
すなわち、上記した間引き回路１３、乗算器１４、Ｍ系列生成回路１５、補間回路１６及びＨＰＦ１７からなる高周波数化部は、境界周波数ｆｂ未満の周波数帯域からなる主音声信号ＳＬの信号成分を補助用の音声信号と捉え、これを境界周波数ｆｂ以上の周波数帯域に高周波数化することにより、高域補助音声信号ＳＨを得る。
【００２４】
加算器１８は、遅延回路１２から供給された遅延主音声信号ＳＬＤに、上記した高域補助音声信号ＳＨを加算することによって両者を多重化した多重化音声信号ＳＳを変調回路１９に供給する。
【００２５】
変調回路１９は、多重化音声信号ＳＳに伝送用の所定の変調処理を施して得られた変調音声信号ＰXを送出する。
【００２６】
音声信号通信システム１００の受信部２０は、変調音声信号ＰXと同一の信号形態を有する変調音声信号ＰRを受信する。
【００２７】
受信部２０の復調回路２１は、受信した変調音声信号ＰRに対して復調処理を施すことにより多重化音声信号Ｒを得て、これをＬＰＦ２２及びＨＰＦ２３に供給する。尚、復調回路２１は、通信エラー検出部２１ａを含む。
【００２８】
通信エラー検出部２１ａは、受信した変調音声信号ＰRに基づき、信号欠落、受信感度不足、或いはノイズ障害等に起因する通信エラーが生じているか否かを検出し、その検出結果を示す通信エラー検出信号Ｌを生成してこれをセレクタ３０に供給する。
【００２９】
ＬＰＦ２２は、多重化音声信号Ｒから、境界周波数ｆｂより低い周波数帯域の信号成分、すなわち上記した主音声信号ＳＬに対応した信号成分を抽出し、この信号成分を有する主音声信号ＲＬをセレクタ３０に供給する。
【００３０】
ＨＰＦ２３は、多重化音声信号Ｒから、境界周波数ｆｂ以上の周波数帯域の信号成分、すなわち上記した高域補助音声信号ＳＨに対応した信号成分を抽出し、この信号成分を有する高域補助音声信号ＲＨを間引き回路２４に供給する。
【００３１】
間引き回路２４は、高域補助音声信号ＲＨによって表される音声サンプルの系列中から例えば１サンプルおきにその音声サンプルを間引く。そして、間引き回路２４は、当該間引き処理によって得られた間引音声信号ＲＤを乗算器２５に供給する。例えば、間引き回路２４は、高域補助音声信号ＲＨによって表される例えば図３に示す音声サンプルＱ１〜Ｑ９の系列中から、偶数番目に配置されている音声サンプルのみを間引き、音声サンプルＱ１、Ｑ３、Ｑ５、Ｑ７、Ｑ９の系列からなる間引音声信号ＲＤを得る。
【００３２】
Ｍ系列生成回路２６は、間引音声信号ＲＤによって表される音声サンプルの周期毎に、第１の値の状態と第２の値の状態の系列が所定の法則に従って得られる２値のＭ系列信号Ｍ２を生成し、これを乗算器２５に供給する。Ｍ系列生成回路２６が生成するＭ系列信号は、上述のとおり図２Ｂに例示するものが挙げられる。
【００３３】
なお、Ｍ系列生成回路２６によって生成されるＭ系列信号Ｍ２は、上述のＭ系列生成回路１５にて生成されるＭ系列信号Ｍ１と同値のものである。Ｍ１とＭ２を同値にするためには、Ｍ系列生成回路１５及びＭ系列生成回路２６が同値のＭ系列信号を生成するように予め設定してもよいし、Ｍ系列生成回路１５にて生成したＭ１の情報を、送信部１０から受信部２０へ通知してもよい。
【００３４】
ここでは説明を簡略化するため、Ｍ系列生成回路２６は、上述のＭ系列生成回路１５と同様に、図３に示す"＋１"の値の状態と"−１"の値の状態とを交互に繰り返すＭ系列信号Ｍ２を生成し、これを乗算器２５に供給するものとする。
【００３５】
乗算器２５は、例えば図３に示す間引音声信号ＲＤにＭ系列信号Ｍ２を乗算する。乗算器２５は、かかる乗算処理によって間引音声信号ＲＤを低周波数化し、この低周波数化によって得られた低周波数化音声信号ＲＭを補間回路２７に供給する。
【００３６】
補間回路２７は、低周波数化音声信号ＲＭに補間処理を施すことにより、上記した間引き回路２４によって間引きされた分のサンプルを補間する。この際、補間回路２７による補間処理では、例えば図３に示すように、低周波数化音声信号ＲＭにて表されるサンプルの系列中において隣接する２つのサンプルの間に、サンプルを補間する。尚、補間回路２７による補間処理としては、特に限定されず、線形補間、曲線補間、或いは内挿補間等を採用しても良い。
【００３７】
補間回路２７は、低周波数化音声信号ＲＭに上記した補間処理を施して得られた信号を補間低周波数化音声信号ＲＵとしてＬＰＦ２８に供給する。
【００３８】
ＬＰＦ２８は、補間低周波数化音声信号ＲＵから、境界周波数ｆｂより低い周波数帯域の信号成分を抽出し、抽出した信号成分を表す信号を補助音声信号ＲＵＬとしてメモリ２９に供給する。
【００３９】
すなわち、上記した間引き回路２４、乗算器２５、Ｍ系列生成回路２６、補間回路２７及びＬＰＦ２８からなる低周波数化部は、高域補助音声信号ＲＨを境界周波数ｆｂ未満の周波数帯域に低周波数化することにより、補助音声信号ＲＵＬを得る。
【００４０】
メモリ２９は、補助音声信号ＲＵＬを取り込んで記憶しつつ、取り込んだ順に上記した遅延回路１２と同一の単位期間だけ遅延させてから読み出し、読み出した信号を遅延補助音声信号ＲＵＤとしてセレクタ３０に供給する。
【００４１】
セレクタ３０は、復調回路２１から供給された通信エラー検出信号Ｌに応じて、上記した主音声信号ＲＬと遅延補助音声信号ＲＵＤとのうちの一方を選択し、選択した方を出力音声信号ＳOTとして出力する。すなわち、セレクタ３０は、通信エラー検出信号Ｌが、通信エラーが生じていないことを示す場合には、主音声信号ＲＬを選択しこれを出力音声信号ＳOTとして出力する。一方、通信エラー検出信号Ｌが通信エラーが生じていることを示す場合には、セレクタ３０は、主音声信号ＲＬに代えて遅延補助音声信号ＲＵＤを選択し、これを出力音声信号ＳOTとして出力する。
【００４２】
以下に、音声信号通信システム１００による送信及び受信動作の一例について、図４に示すタイムチャートを参照しつつ説明する。
【００４３】
［送信動作］
送信部１０のＬＰＦ１１は、図４に示すように、例えばＩＰパケットに対応したパケット区間ＦＲにて区分される音声データＶ１〜Ｖ６の系列を含む入力音声信号ＳINから、境界周波数ｆｂ未満の周波数帯域の信号成分からなる音声データＤ１〜Ｄ５の系列を含む主音声信号ＳＬを抽出する。遅延回路１２は、例えば図４に示すようにパケット区間ＦＲと同一長の単位期間ＴＱだけ主音声信号ＳＬを遅延させた信号を遅延主音声信号ＳＬＤとして生成する。
【００４４】
送信部１０の高周波数化部（１３〜１７）は、境界周波数ｆｂ未満の周波数帯域からなる主音声信号ＳＬの信号成分を、境界周波数ｆｂ以上の周波数帯域に高周波数化する。高周波数化部は、主音声信号ＳＬに含まれる音声データＤ１〜Ｄ５を境界周波数ｆｂ以上の周波数帯域に高周波数化することにより、図４に示すように補助音声データｄ１〜ｄ５の系列を含む高域補助音声信号ＳＨを生成する。
【００４５】
送信部１０の加算器１８は、図５に示すように、境界周波数ｆｂ未満の周波数帯域を有する遅延主音声信号ＳＬＤと、境界周波数ｆｂ以上の周波数帯域を有する高域補助音声信号ＳＨとを加算することにより、両者を多重化する。これにより、加算器１８は、図４に示すパケットＰ１〜Ｐ５の系列を含む多重化音声信号ＳＳを生成する。
【００４６】
すなわち、加算器１８は、パケット毎に、ｋ（ｋは１〜５の自然数）番目のパケットの音声データＤ（ｋ）と、（ｋ＋１）番目のパケットの音声データＤ（ｋ＋１）を高周波数化した補助音声データｄ（ｋ＋１）と、が多重化された多重化音声信号ＳＳを生成するのである。
【００４７】
そして、送信部１０の変調回路１９は、上記した多重化音声信号ＳＳに変調を施した変調音声信号ＰXを送出する。
【００４８】
［受信動作］
受信部２０の復調回路２１は、例えば図４に示すような多重化音声信号ＳＳを変調した変調音声信号ＰRを受信し、当該変調音声信号ＰRに対して復調処理を施す。かかる復調処理により、復調回路２１は、図４に示すように、パケットＰ１〜Ｐ５の系列を含む多重化音声信号ＳＳに対応した多重化音声信号Ｒを得る。ただし、図４に示す一例では、通信エラーの影響により、多重化音声信号Ｒ中において、音声データＤ３と補助音声データｄ４とが多重化されているパケットＰ３に対応した区間に信号欠落ＤＥＬが生じている。
【００４９】
よって、通信エラー検出部２１ａは、図４に示すように、信号欠落ＤＥＬが生じているパケット区間ＦＲでは通信エラーが生じていることを示す論理レベル１、他のパケット区間では通信エラーが生じていないことを示す論理レベル０の通信エラー検出信号Ｌをセレクタ３０に供給する。
【００５０】
この間、受信部２０のＬＰＦ２２は、多重化音声信号Ｒから、境界周波数ｆｂ未満の周波数帯域の信号成分である音声データＤ１〜Ｄ５を含む主音声信号ＲＬを抽出する。ただし、上記した信号欠落ＤＥＬに伴い、主音声信号ＲＬ中には音声データＤ３が欠落している。
【００５１】
また、この間、受信部２０のＨＰＦ２３は、多重化音声信号Ｒから、境界周波数ｆｂ以上の周波数帯域の信号成分である高域補助音声信号ＲＨを抽出する。ここで、低周波数化部（間引き回路２４、乗算器２５、Ｍ系列生成回路２６、補間回路２７及びＬＰＦ２８）は、当該高域補助音声信号ＲＨを、境界周波数ｆｂ未満の周波数帯域に低周波数化する。これにより、低周波数化部は、高域補助音声信号ＳＨから、音声データＤ１〜Ｄ５に夫々対応した補助音声データｄ１〜ｄ５を含む補助音声信号ＲＵＬを復元する。ただし、上記した信号欠落ＤＥＬに伴い、補助音声信号ＲＵＬ中には補助音声データｄ４が欠落している。メモリ２９は、当該補助音声信号ＲＵＬを取り込んで記憶し、これを単位期間ＴＱだけ遅延させた信号を遅延補助音声信号ＲＵＤとしてセレクタ３０に供給する。
【００５２】
セレクタ３０は、図４に示すように、通信エラー検出信号Ｌが、通信エラーが生じていないことを示す論理レベル０の状態にある間は主音声信号ＲＬに含まれる音声データＤ１、Ｄ２、Ｄ４及びＤ５を選択する。一方、通信エラー検出信号Ｌが、通信エラーが生じていることを示す論理レベル１の状態にある間は、セレクタ３０は、図４に示すように、遅延補助音声信号ＲＵＤに含まれる補助音声データｄ３を選択する。これにより、セレクタ３０は、図４に示すように、Ｄ１、Ｄ２、ｄ３、Ｄ４及びＤ５の系列を含む出力音声信号ＳOTを出力する。
【００５３】
従って、図４に示すように、受信した多重化音声信号Ｒ中において音声データＤ３を含むパケットが欠落（ＤＥＬ）していても、この欠落パケットとは異なるパケットには、音声データＤ３に対応した補助音声データｄ３が含まれているので、この補助音声データｄ３を用いて欠落パケットの内容を補償した出力音声信号ＳOTが得られるのである。
【００５４】
この際、上記した補助音声データｄ１〜ｄ５を含む高域補助音声信号ＳＨは、主音声としての音声データＤ１〜Ｄ５を含む遅延主音声信号ＳＬＤとは異なる周波数帯域に多重化されて送信される。これにより、音声信号を誤り訂正符号化して送信する場合に比して、通信速度の低下を抑えることが可能となる。
【００５５】
よって、図１に示される音声信号通信システム１００によれば、通信速度の低下を招くことなく、通信エラーによって損失した音声信号を補償することが可能となる。
【００５６】
尚、図１に示す実施例では、加算器１８は、主音声信号ＳＬを遅延回路１２で遅延させた遅延主音声信号ＳＬＤと、高域補助音声信号ＳＨとを加算しているが、高域補助音声信号ＳＨを遅延回路１２で遅延させた信号と主音声信号ＳＬとを加算するようにしても良い。この際、図１に示すようにＬＰＦ２８とセレクタ３０との間に設けられている遅延部としてのメモリ２９を省き、当該メモリ２９を、ＬＰＦ２２とセレクタ３０との間に設ける。
【００５７】
また、上記実施例では、遅延回路１２及びメモリ２９での遅延時間（ＴＱ）は、ＩＰパケット１つ分の期間長であるが、その遅延時間はＩＰパケット１つ分の期間長に限定されない。つまり、遅延回路１２及びメモリ２９の遅延時間としては、ｎ（ｎは１以上の整数）個のＩＰパケット分の期間長であれば良いのである。
【００５８】
要するに、音声信号通信システム１００としては、以下の構成を有する送信部（１０）と受信部（２０）とを備えたものであれば良いのである。
【００５９】
つまり、送信部は、以下の低域抽出部及び多重化部を含む。低域抽出部（１１）は、入力音声信号（ＳIN）から所定周波数（ｆｂ）より低い低周波数帯域の信号成分を主音声信号（ＳＬ）として抽出する。多重化部（１２〜１８）は、この主音声信号の信号成分を所定周波数以上に高周波数化した補助音声信号（ＳＨ）と、主音声信号とを互いに所定期間（ＴＱ）だけずらして多重化した多重化音声信号（ＳＳ）を送信する。
【００６０】
受信部は、以下の通信エラー検出部、分離部、遅延部及びセレクタを含む。すなわち、通信エラー検出部（２１ａ）は、多重化音声信号（Ｒ）を受信し、この多重化音声信号に基づき通信エラーが生じているか否かを検出して検出結果を示す通信エラー検出信号（Ｌ）を生成する。分離部（２２〜２８）は、受信した多重化音声信号から主音声信号及び補助音声信号を分離抽出し、分離抽出した主音声信号（ＲＬ）及び補助音声信号（ＲＵＬ）を得る。出力部（２９、３０）は、通信エラー検出信号が通信エラーが生じていないことを示す場合には分離部で分離抽出された主音声信号を出力音声信号として出力する一方、通信エラー検出信号が通信エラーが生じていることを示す場合には分離部で分離抽出された補助音声信号を前記出力音声信号として出力する。
【実施例２】
【００６１】
図６は、本発明に係る音声信号通信システムとしての第２の実施例による音声信号通信処理部１２０を含むＦＡＸ通信装置２００の構成を示すブロック図である。ＦＡＸ通信装置２００は、例えば３２ｋｂｉｔ／ｓのＡＤＰＣＭ（ａｄａｐｔｉｖｅ  ｄｉｆｆｅｒｅｎｔｉａｌ  ｐｕｌｓｅ  ｃｏｄｅ  ｍｏｄｕｌａｔｉｏｎ）規格のように、音声帯域を元の２分の１のビットレートに圧縮し、圧縮された音声信号においてもモデム信号を透過可能な音声コーデックを採用した音声ＲＴＰ（Ｒｅａｌ−ｔｉｍｅ  Ｔｒａｎｓｐｏｒｔ  Ｐｒｏｔｏｃｏｌ）ストリームパケット通信にて、ＩＰネットワーク３００を介して、みなし音声によるＦＡＸ通信を行う。
【００６２】
図６に示すように、ＦＡＸ通信装置２００は、ＦＡＸ電話端末２０１と、通信処理部２０２とを有する。なお、以下の説明において、本実施例２における各構成が行う処理（例えば圧縮符号化、音声ストリーム化、ＩＰパケット化、多重化など）は、上述した３２ｋｂｉｔ／ｓのＡＤＰＣＭ規格を一例とした規格で採用される方式にて、処理されるものである。当然ながら、３２ｋｂｉｔ／ｓのＡＤＰＣＭ規格に限定されるものではなく、上述のように音声帯域を元の２分の１のビットレートに圧縮し、圧縮された音声信号においてもモデム信号を透過可能な音声コーデック方式であれば、適宜に適用可能である。
【００６３】
ＦＡＸ端末２０１は、ユーザによる通話音声又は静止画像を表すＦＡＸモデム信号を通信処理部２０２に供給する。また、ＦＡＸ端末２０１は、通信処理部２０２から供給されたＦＡＸモデム信号を受け、当該ＦＡＸモデム信号に応じた通話音声又は静止画像を出力する。
【００６４】
通信処理部２０２は、ＦＡＸ端末２０１から供給されたＦＡＸモデム信号を圧縮符号化し、これをＩＰ（Ｉｎｔｅｒｎｅｔ  Ｐｒｏｔｏｃｏｌ）パケット化してＩＰネットワーク３００に送出する。ここで、例えばＦＡＸモデム信号を７ＫＨｚ帯域の広帯域音声として音声ストリーム化する。また、通信処理部２０２は、ＩＰネットワーク３００を介して供給されたＩＰパケットをＦＡＸモデム信号に変換し、変換したＦＡＸモデム信号をＦＡＸ端末２０１に供給する。
【００６５】
通信処理部２０２は、入出力部１１０、音声信号通信処理部１２０、ＲＴＰ制御部１３０、ＷＡＮ（Ｗｉｄｅ  Ａｒｅａ  Ｎｅｔｗｏｒｋ）ポート１４０を有する。
【００６６】
入出力部１１０は、ＦＡＸ電話端末２０１から供給されたアナログのＦＡＸモデム信号をＰＣＭ（Ｐｌｕｓｅ  Ｃｏｄｅ  Ｍｏｄｕｌａｔｉｏｎ）信号に変換し、ＰＣＭ信号化した入力音声信号ＡINとして音声信号通信処理部１２０に供給する。また、入出力部１１０は、音声信号通信処理部１２０から供給された、ＰＣＭ信号としての出力音声信号ＡOTをアナログのＦＡＸモデム信号に変換し、これをＦＡＸ電話端末２０１に供給する。
【００６７】
音声信号通信処理部１２０は、入出力部１１０から供給された入力音声信号ＡINに符号化及び多重化処理を施して得られた多重化音声信号ＣXをＲＴＰ制御部１３０に供給する。また、音声信号通信処理部１２０は、ＲＴＰ制御部１３０から供給された多重化音声信号ＣRに対して復号処理及び分離処理を施すことにより出力音声信号ＡOTを得て、これを入出力部１１０に供給する。尚、音声信号通信処理部１２０の詳細な動作については後述する。
【００６８】
ＲＴＰ制御部１３０は、音声信号通信処理部１２０から供給された多重化音声信号ＣXをＩＰパケット化したＲＴＰパケット信号を、ＷＡＮポート１４０に供給する。また、ＲＴＰ制御部１３０は、ＷＡＮポート１４０から供給されたＲＴＰパケット信号に含まれる各ＩＰパケットから符号化音声信号を取り出し多重化音声信号ＣRとして音声信号通信処理部１２０に供給する。
【００６９】
ＷＡＮポート１４０は、ＲＴＰ制御部１３０から供給されたＲＴＰパケット信号をＩＰネットワーク３００へ送出する。また、ＷＡＮポート１４０は、ＩＰネットワーク３００から供給されたＲＴＰパケット信号をＲＴＰ制御部１３０に供給する。
【００７０】
以下に、音声信号通信処理部１２０の詳細な動作について説明する。
【００７１】
図７は、音声信号通信処理部１２０の内部構成を示すブロック図である。図７に示すように、音声信号通信処理部１２０は、送信部４０と受信部５０とを有する。
【００７２】
送信部４０のＱＭＦ（Ｑｕａｄｒａｔｕｒｅ  Ｍｉｒｒｏｒ  Ｆｉｌｔｅｒ）部４１は、入出力部１１０から供給された例えば７ＫＨｚの周波数帯域を有する入力音声信号ＡINを、所定の境界周波数ｆｂ（例えば４ＫＨｚ）未満の周波数帯域の信号成分と、境界周波数ｆｂ以上の周波数低域の信号成分とに分離する。ＱＭＦ部４１は、入力音声信号ＡINにおける境界周波数ｆｂ未満の低周波数帯域の信号成分を表す主音声信号ＬＦをＡＤＰＣＭ符号部４２に供給する。
【００７３】
ＡＤＰＣＭ符号部４２は、主音声信号ＬＦに対して圧縮符号化処理を施して得た信号を符号化補助音声信号ＰＡとしてバッファ部４３及び多重化部４４に供給する。
【００７４】
バッファ部４３は、符号化補助音声信号ＰＡをパケット単位で取り込み、所定期間（例えば１パケット分の期間）だけ遅延させた信号を符号化主音声信号ＤＰＡとして多重化部４４に供給する。
【００７５】
多重化部４４は、図８に示すように、符号化補助音声信号ＰＡを高周波数帯域に割り当て、符号化主音声信号ＤＰＡを低周波数帯域に割り当てて両者を多重化する。多重化部４４は、符号化補助音声信号ＰＡ及び符号化主音声信号ＤＰＡを多重化して得られた多重化音声信号ＣXを出力する。すなわち、多重化音声信号ＣXは、ＲＴＰ制御部１３０に供給される。
【００７６】
図７において、受信部５０の受信バッファ５１は、ＲＴＰ制御部１３０から供給された多重化音声信号ＣRをバッファリングすることにより周期揺らぎ等を補償した多重化音声信号ＶＸを得て、これを分離回路５２に供給する。尚、多重化音声信号ＣR及び多重化音声信号ＶＸは、図８に示され多重化音声信号ＣXと同一の信号フォーマットを有する。受信バッファ５１は、通信エラー検出部５１ａを含む。
【００７７】
通信エラー検出部５１ａは、多重化音声信号ＣRに基づき、パケット損失に伴う信号欠落又はノイズ障害等に起因する通信エラーが生じているか否かを検出し、その検出結果を示す通信エラー検出信号Ｌをセレクタ５５に供給する。
【００７８】
分離回路５２は、多重化音声信号ＶＸから、図８に示すように低周波帯域に割り当てられている符号化主音声信号、及び高周波数帯域に割り当てられている符号化補助音声信号を分離抽出する。分離回路５２は、分離抽出した符号化主音声信号を符号化主音声信号ＬＡとして低周波数帯域用のＡＤＰＣＭ復号部５３に供給し、分離した符号化補助音声信号を符号化補助音声信号ＨＡとして高周波数帯域用のＡＤＰＣＭ復号部５４に供給する。
【００７９】
ＡＤＰＣＭ復号部５３は、符号化主音声信号ＬＡに復号処理を施すことにより、圧縮状態を解除した、境界周波数ｆｂ未満、すなわち４ＫＨｚ未満の周波数帯域を有する主音声信号ＤＡを得て、これをセレクタ５５に供給する。
【００８０】
ＡＤＰＣＭ復号部５４は、符号化補助音声信号ＨＡに復号処理を施すことにより、圧縮状態を解除した、境界周波数ｆｂ未満、すなわち４ＫＨｚ未満の周波数帯域を有する補助音声信号ＢＡを得て、これを遅延回路５６に供給する。
【００８１】
遅延回路５６は、補助音声信号ＢＡを、上記したバッファ部４３での遅延時間と同一の期間、つまり１パケット分の期間だけ遅延させた信号を遅延補助音声信号ＤＢＡとして、セレクタ５５に供給する。
【００８２】
セレクタ５５は、受信バッファ５１から供給された通信エラー検出信号Ｌに応じて、上記した主音声信号ＤＡと遅延補助音声信号ＤＢＡとのうちの一方を選択し、選択した方を帯域拡張回路５７に供給する。すなわち、セレクタ５５は、通信エラー検出信号Ｌが通信エラーが生じていないことを示す場合には主音声信号ＤＡを選択する一方、通信エラー検出信号Ｌが通信エラーが生じていることを示す場合には遅延補助音声信号ＤＢＡを選択する。
【００８３】
帯域拡張回路５７は、セレクタ５５から供給された主音声信号ＤＡ又は遅延補助音声信号ＤＢＡに対して、その周波数帯域を境界周波数ｆｂより高い帯域、例えば７ＫＨｚにまで拡張する帯域拡張処理を施して得られたＰＣＭ信号を出力音声信号ＡOTとして出力する。
【００８４】
以下に、音声信号通信処理部１２０による送信及び受信動作について、図９に示すタイムチャートを参照しつつ説明する。
【００８５】
［送信動作］
送信部４０のＱＭＦ４１は、図９に示すように、例えばＩＰパケットに対応したパケット区間ＦＲによって区分される音声データＶ１〜Ｖ６の系列を含む入力音声信号ＡINから、境界周波数ｆｂ未満の周波数帯域の信号成分からなる音声データＬ１〜Ｌ６の系列を含む主音声信号ＬＦを抽出する。ＡＤＰＣＭ符号部４２は、この主音声信号ＬＦに対して圧縮符号化処理を施すことにより、図９に示すように、後述する符号化音声データＤ１〜Ｄ５に対応した符号化補助音声データｄ１〜ｄ５の系列を含む符号化補助音声信号ＰＡを生成する。バッファ４３は、当該符号化補助音声信号ＰＡを、例えば図９に示すように１パケット区間ＦＲと同一長の単位期間ＴＱだけ遅延させることにより、符号化補助音声データｄ１〜ｄ５に対応した符号化音声データＤ１〜Ｄ５の系列を含む符号化主音声信号ＤＰＡを生成する。
【００８６】
多重化部４４は、パケット毎に、図８に示すように符号化主音声信号ＤＰＡを低周波数帯域に割り当て、符号化補助音声信号ＰＡを高周波数帯域に割り当てて多重化する。これにより、多重化部４４は、図９に示すように、パケットＰ１〜Ｐ５の系列を含む多重化音声信号ＣXを生成する。すなわち、多重化部４４は、各パケットに、ｋ（ｋは１〜５の自然数）番目のパケットの符号化音声データＤ（ｋ）と、（ｋ＋１）番目のパケットの符号化音声データＤ（ｋ＋１）に対応した符号化補助音声データｄ（ｋ＋１）とが多重化されている多重化音声信号ＣXを出力するのである。
【００８７】
［受信動作］
受信部５０の受信バッファ５１は、図８に示す多重化音声信号ＣXと同様な信号フォーマットを有する多重化音声信号ＣRを受信することにより、図９に示すようなパケットＰ１〜Ｐ５の系列を含む多重化音声信号ＶＸを得る。ただし、図９に示す一例では、通信エラーの影響により、多重化音声信号ＶＸ中において、符号化音声データＤ３と符号化補助音声データｄ４とが多重化されているパケットＰ３に対応した区間には、信号欠落ＤＥＬが生じている。
【００８８】
よって、通信エラー検出部５１ａは、図９に示すように、信号欠落ＤＥＬが生じているパケット区間ＦＲでは、通信エラーが生じていることを示す論理レベル１、他のパケット区間では通信エラーが生じていないことを示す論理レベル０の通信エラー検出信号Ｌをセレクタ５５に供給する。
【００８９】
この間、受信部５０の分離回路５２は、多重化音声信号ＶＸから、符号化音声データＤ１〜Ｄ５の系列を含む符号化主音声信号ＬＡと、符号化補助音声データｄ２〜ｄ５の系列を含む符号化補助音声信号ＨＡとを分離して抽出する。ただし、上記した信号欠落ＤＥＬに伴い、符号化主音声信号ＬＡ中には符号化音声データＤ３が欠落しており、符号化補助音声信号ＨＡ中には符号化補助音声データｄ４が欠落している。
【００９０】
受信部５０のＡＤＰＣＭ復号部５３は、符号化主音声信号ＬＡに復号処理を施すことにより、図９に示すように、符号化音声データＤ１〜Ｄ５に夫々対応した音声データＶ１〜Ｖ６の系列を含む主音声信号ＤＡを得る。ＡＤＰＣＭ復号部５４は、符号化補助音声信号ＨＡに復号処理を施すことにより、図９に示すように、符号化補助音声データｄ２〜ｄ５に夫々対応した補助音声データｗ２〜ｗ５の系列を含む補助音声信号ＢＡを得る。ただし、上記した信号欠落ＤＥＬに伴い、主音声信号ＤＡ中には音声データＶ３が欠落しており、補助音声信号ＢＡ中には補助音声データｗ４が欠落している。
【００９１】
ここで、遅延回路５６は、図９に示すように補助音声信号ＢＡを、バッファ部４３での遅延時間と同一の時間、例えば１パケット区間ＦＲの単位期間ＴＱだけ遅延して遅延補助音声信号ＤＢＡを得る。
【００９２】
セレクタ５５は、図９に示すように、通信エラー検出信号Ｌが通信エラーが生じていないことを示す論理レベル０の状態にある間は主音声信号ＤＡに含まれる音声データＶ１、Ｖ２、Ｖ４及びＶ５を選択する。一方、通信エラー検出信号Ｌが通信エラーが生じていることを示す論理レベル１の状態にある間は、セレクタ５５は、図９に示すように、遅延補助音声信号ＤＢＡに含まれる補助音声データｗ３を選択する。よって、セレクタ５５は、図９に示すように、Ｖ１、Ｖ２、ｗ３、Ｖ４及びＶ５の系列を含む出力音声信号ＡOTを出力する。
【００９３】
従って、図９に示すように、受信した多重化音声信号ＶＸ中に符号化音声データＤ３を含むパケットが欠落（ＤＥＬ）していても、欠落パケットとは異なるパケットには、欠落した符号化音声データＤ３に対応した符号化補助音声データｄ３が含まれている。よって、この符号化補助音声データｄ３を復号した補助音声データｗ３を用いることにより、欠落パケットの内容を補償した出力音声信号ＡOTを得ることが可能となる。
【００９４】
この際、図７に示す音声信号通信処理部１２０では、上記した補助音声データｄ２〜ｄ５を含む符号化補助音声信号ＰＡを境界周波数ｆｂ以上の高周波数帯域の信号とみなし、この信号と、主音声としての音声データＤ１〜Ｄ５を含む、境界周波数ｆｂ未満の低周波数帯域の符号化主音声信号ＤＰＡとを多重化して送信するようにしている。これにより、音声信号を誤り訂正符号化して送信する場合に比して、通信速度の低下を抑えることが可能となる。
【００９５】
よって、図７に示される音声信号通信処理部１２０によれば、通信速度の低下を招くことなく、通信エラーによって損失した音声信号を補償することが可能となる。
【００９６】
尚、図６に示す一例では、通信処理部２０２を介して１台のＦＡＸ電話端末２０１とＩＰネットワーク３００との通信動作を示したが、接続されるＦＡＸ電話端末２０１の台数は１台に限らず、また各ブロックの機能の区分けについても図６に示される形態に限定されない。例えば、ＦＡＸ電話端末２０１としてＶｏＩＰのＴＡ機構を含むものを採用しても良いし、また、ＦＡＸ電話端末２０１に代えて、入出力部１１０を含むＦＡＸサーバを採用しても良い。
【００９７】
また、上記実施例において、図６に示すＦＡＸ通信装置２００は、４ＫＨｚ以上の広帯域に対応した他の音声コーデック方式を採用しても良い。
【００９８】
また、音声コーデックの方式として狭帯域を扱う方式を採用しても良い。この際、図７に示されるＱＭＦ４１及び帯域拡張回路５７は不要となる。
【００９９】
また、図７に示す多重化部４４では、符号化主音声信号ＤＰＡを低周波数帯域、符号化補助音声信号ＰＡを高周波数帯域に割り当てて両者を多重化しているが、符号化主音声信号ＤＰＡを高周波数帯域、符号化補助音声信号ＰＡを高周波数帯域に割り当てて多重化を行うようにしても良い。この際、図７に示すＡＤＰＣＭ復号部５４とセレクタ５５との間に設けられている遅延回路５６を省き、当該遅延回路５６をＡＤＰＣＭ復号部５３とセレクタ５５との間に設ける。
【０１００】
また、上記実施例では、バッファ４３及び遅延回路５６各々での遅延時間（ＴＱ）は、ＩＰパケット１つ分の期間長であるが、その遅延時間はＩＰパケット１つ分の期間長に限定されない。つまり、バッファ４３及び遅延回路５６の遅延時間としては、ｎ（ｎは１以上の整数）個のＩＰパケット分の期間長であれば良い。
【０１０１】
要するに、音声信号通信処理部１２０としては、以下の構成を有する送信部（４０）と受信部（５０）とを備えたものであれば良いのである。
【０１０２】
つまり、送信部は、以下の低域抽出部及び多重化部を含む。低域抽出部（４１）は、入力音声信号（ＡIN）から所定周波数（ｆｂ）より低い低周波数帯域の信号成分を主音声信号として抽出する。多重化部（４２〜４４）は、この主音声信号の信号成分を所定周波数以上に高周波数化した補助音声信号と、主音声信号とを互いに所定期間（ＴＱ）だけずらして多重化した多重化音声信号（ＣX）を送信する。すなわち、多重化部は、主音声信号を圧縮符号化した信号を符号化補助音声信号として生成する符号部（４２）と、符号化補助音声信号を所定期間だけ遅延させた信号を符号化主音声信号として生成するバッファ（４３）と、を含む。多重化部は、符号化主音声信号を低周波数帯域に割り当て、且つ符号化補助音声信号を高周波数帯域に割り当てて両者を多重化した信号を多重化音声信号（ＣX）として送信するのである。
【０１０３】
受信部は、以下の通信エラー検出部、分離部、出力部を含む。すなわち、通信エラー検出部（５１ａ）は、多重化音声信号（ＶＸ）を受信して、この多重化音声信号に基づき通信エラーが生じているか否かを検出して検出結果を示す通信エラー検出信号（Ｌ）を生成する。分離部（５２〜５４）は、受信した多重化音声信号から主音声信号及び補助音声信号を分離抽出し、分離抽出した主音声信号（ＤＡ）及び補助音声信号（ＢＡ）を得る。すなわち、分離部は、受信した多重化音声信号から符号化主音声信号（ＬＡ）及び符号化補助音声信号（ＨＡ）を分離する分離回路（５２）と、この符号化主音声信号に対して復号処理を施すことにより主音声信号（ＤＡ）を得る第１の復号部（５３）と、符号化補助音声信号に対して復号処理を施すことにより補助音声信号（ＢＡ）を得る第２の復号部（５４）と、を含む。そして、出力部（５５〜５７）は、通信エラー検出信号が通信エラーが生じていないことを示す場合には分離部で分離抽出された主音声信号を出力音声信号として出力する一方、通信エラー検出信号が通信エラーが生じていることを示す場合には分離部で分離抽出された補助音声信号を前記出力音声信号として出力する。すなわち、出力部は、第２の復号部で得られた補助音声信号を所定期間だけ遅延させた信号を遅延補助音声信号（ＤＢＡ）として生成する遅延部（５６）と、通信エラー検出信号が通信エラーが生じていないことを示す場合には主音声信号（ＤＡ）を出力音声信号として出力する一方、通信エラー検出信号が通信エラーが生じていることを示す場合には遅延補助音声信号を出力音声信号として出力するセレクタ（５５）と、を含む。
【符号の説明】
【０１０４】
１０、４０    送信部
１１、２２    ＬＰＦ
１２、５６    遅延回路
１３、２４    間引き回路
１５、２６    Ｍ系列生成回路
１７、２３    ＨＰＦ
１８          加算器
２０、５０    受信部
３０、５５    セレクタ
４３          バッファ
４４          多重化部
５２          分離部
【図１】
2017044935.tif 000003
【図２Ａ】
2017044935.tif 000004
【図２Ｂ】
2017044935.tif 000005
【図３】
2017044935.tif 000006
【図４】
2017044935.tif 000007
【図５】
2017044935.tif 000008
【図６】
2017044935.tif 000009
【図７】
2017044935.tif 000010
【図８】
2017044935.tif 000011
【図９】
2017044935.tif 000012